(57)【要約】  靴用の閉鎖システムは、片手で係留および締付けができる１本の靴紐を含んでいる。靴を簡単に脱がせるように、靴は靴紐が巻き付けられるボタンを含んでいる。１形態においては、靴紐の１端は爪先の近くで靴のアッパの下側に係留され、靴紐の第２端は靴の後部にスライド式に取り付けられているスライダ内に係留され、靴の締付け具合の微調節を提供する。あるいは、靴は靴の後部の周囲にパイピングの帯を含んでおり、そこに靴紐の第２端は収容され、ユーザが微調節を望むときにパイピングに沿ってスライドする。靴の締付け具合の調節は、舌革部の上部に位置するバレルをスライドさせることでも可能である。【選択図】図６
2018532554.tif 000002
【特許請求の範囲】
【請求項１】
靴に使用するための靴閉鎖システムであって、
靴のそれぞれの側部に一つずつ配置された２つのフラップと、
前記２つのフラップのそれぞれに配置されている一連の紐穴と、
前記紐穴を通って、前記２つのフラップ間に交互に紐通しできるのに十分な長さを有した靴紐と、
前記靴の爪先に最も近い紐穴の近傍の位置に確実に固定された前記靴紐の第１端と、を備え、前記靴紐も両側のフラップの紐穴に交互に紐通しされるものであり、
着用者の足が挿入される前記靴の開口部の最も近くに配置される紐穴を通って、前記２つのフラップの一方の下に紐通しされる前記靴紐の第２端であって、前記靴の後部の周囲に取り付けられるガイド上に取り付けられるスライダに固定される前記靴の第２端を備え、
ユーザは前記ガイド上の前記スライダを調節することで、靴を締めたり緩めたりすることができる、
靴閉鎖システム。
【請求項２】
前記ガイドは、前記靴のそれぞれの側部に沿って前記靴の内部に固定されたコードである、請求項１記載の靴閉鎖システム。
【請求項３】
前記ガイドは、前記靴のそれぞれの側部に沿って前記靴の内部に固定されたパイピングである、請求項１記載の靴閉鎖システム。
【請求項４】
前記靴の踵タブに形成され、前記靴紐が前記踵タブを上方にスライドすることを防止する隆起部をさらに備える、請求項１記載の靴閉鎖システム。
【請求項５】
前記靴紐の前記第１端は、前記靴の前記爪先の最も近くに配置された紐穴の近傍で前記２つのフラップの一方の下に固定される、請求項１記載の靴閉鎖システム。
【請求項６】
前記靴紐の前記第１端は、前記靴の前記爪先の最も近くに配置された紐穴から前記フラップの下に紐通しされ、前記靴紐上にクリンプされる、請求項１記載の靴閉鎖システム。
【請求項７】
前記靴のアッパに固定されたボタンをさらに備え、前記靴紐は前記ボタンの周囲に固定することができる、請求項１記載の靴閉鎖システム。
【請求項８】
前記ボタンは上部ボタンと基部ボタンとを含み、前記上部ボタンは前記基部ボタンに取り外し可能に固定される、請求項７記載の靴閉鎖システム。
【請求項９】
靴に使用するための靴閉鎖システムであって、
前記靴のそれぞれの側部に一つずつ配置されている２つのフラップと、
前記２つのフラップのそれぞれに配置されている一連の紐穴と、
前記紐穴を通って、前記２つのフラップ間に交互に紐通しできるのに十分な長さを有した靴紐と、
スライド可能なバレルに確実に固定された前記靴紐の第１端と、前記２つのフラップの第１のフラップの上部紐穴を紐通しされ、その後前記スライド可能なバレルを通って戻された前記靴紐の第２端と、を備え、前記靴紐も両側のフラップの紐穴に交互に紐通しされるものであり、
前記靴紐の第２端であって、前記靴紐の第２端が前記一連の紐穴を交互に紐通しされた後に、前記２つのフラップの第２のフラップの下に紐通しされる、前記靴紐の第２端を備え、
ユーザは前記靴紐の第２端を引っ張ることで前記靴を締め付け、続いて前記第２のフラップの下に前記靴紐の第２端を押し込む、
靴閉鎖システム。
【請求項１０】
前記第２のフラップの下に押し込まれている前記靴紐を受領するために、前記第２のフラップの下に第１の靴紐キーパをさらに備える、請求項９記載の靴閉鎖システム。
【請求項１１】
前記第２のフラップの下で、且つ、前記第２のフラップの２つの紐穴の位置の間に配置された第２の靴紐キーパをさらに備える、請求項９記載の靴閉鎖システム。
【請求項１２】
前記靴のアッパに固定されたボタンをさらに備え、前記靴紐は前記ボタンの周囲に固定することができる、請求項９記載の靴閉鎖システム。
【請求項１３】
前記ボタンは上部ボタンと基部ボタンとを含み、前記上部ボタンは前記基部ボタンに取り外し可能に固定される、請求項１２記載の靴閉鎖システム。
【発明の詳細な説明】
【技術分野】
【０００１】
関連出願の説明
本願は３５Ｕ．Ｓ．Ｃ．１１９（ｅ）に基づく２０１６年２月２３日出願の米国仮特許願６２／２９８７１２「履物閉鎖システム」と２０１５年１０月２７日出願の米国仮特許願６２／２４６７４２「履物閉鎖システム」の優先権を主張するものである。
【０００２】
本発明は、靴と、使用者の足に靴を締めつけるための靴紐システムとに関する。
【背景技術】
【０００３】
現在、市場で販売されている多くの靴は靴紐を含んでいる。一般に靴紐は両方の手で結ばなければならず、靴を結ぼうと試みる人物は靴に蝶結びを施せるだけの両手の器用さと連動性を有しなければならない。この理由で子供達には靴紐を結ぶことは非常に難しいだけでなく、身体的に不自由な人々にとって、特に片方の手しか使用できない人にとってもそれは困難である。しばしば、そのような人はローファを履くか、あるいは靴紐を備えた靴よりも容易に閉鎖ができる他の靴を履かねばならない。
【０００４】
足の甲部によって引き起こされる舌片部の絶え間ない動きにより蝶結びに作用する圧力のため、しばしば靴紐は解ける。そのような動きはしばしば蝶結びを緩くして靴紐を解かせるため、靴紐の結び直しが必要になる。そのような靴の着用者は、自分の靴紐が解けていないか常に気になる。
【０００５】
人が靴を履いているときしばしば、両足が膨張するので当初の靴紐の調節具合は変化し、靴をきつくする。使用者は、行っている活動に応じて靴の閉鎖システムの締め付け具合を変更したくなる。この理由で、靴の閉鎖システムを少し緩めたり、あるいはきつくしたりする微調節機能を着用者に提供することが望ましい。
【発明の概要】
【０００６】
従って、本発明の主たる目的は、改良された靴紐閉鎖システムを備えた靴を提供することである。
【０００７】
本発明の別目的は、片手で容易に締め付けることができ、ユーザが微調節を行うことができる靴紐閉鎖システムを提供することである。
【０００８】
本発明のさらなる目的は、意図に反して解けるのに抵抗する靴紐閉鎖システムを提供することである。
【０００９】
本発明の靴用の閉鎖システムは片手の使用によって固定して締めることができる１本の靴紐を含んでいる。靴はボタンを含み、靴紐はそのボタンの周囲に巻き付けられ、靴を容易に脱がすようにしている。１実施態様では靴紐の一端部は爪先近傍で靴のアッパ（甲部）の下に固定され、靴紐の第２端は靴の後方にスライド可能に取り付けられているスライダに固定され、靴の締め付け具合の微調節を提供する。別実施態様においては、靴は、靴の後部の周囲に配置されているパイピング（管状部；ｐｉｐｉｎｇ）の帯を含んでおり、ユーザが微調節をしたいときには、靴紐の第２端が内部に固定されているスライダがそのパイピングに沿ってスライドする。さらに別の実施態様では、靴の締め付け具合の調節は、ユーザの足が靴に挿入される位置の近くの靴の舌片部のトップ（上部）に配置されたバレル（樽型部）をスライドさせることで実行される。靴紐が周囲に固定されているボタンは靴の外見を変化させるために取り外しが可能である。
【００１０】
これら本発明の特徴と目的は、添付の図面を参考にして以下の詳細な説明を読めばさらに深く理解されるであろう。
【図面の簡単な説明】
【００１１】
【図１】図１は、本発明の閉鎖システムの１実施例を利用した靴の上面図である。
【００１２】
【図１Ａ】図１Ａは、図１の閉鎖システムの別実施例を利用した靴の上面図である。
【００１３】
【図２】図２は、靴紐が解かれている状態にある図１に図示する別の閉鎖システムを利用した靴の上面図である。
【００１４】
【図３】図３は、スライダが図２の位置から調節されている状態にある図１に図示する靴の上面図である。
【００１５】
【図４】図４は、図２に図示する靴の内側（ｍｅｄｉａｌ  ｓｉｄｅ）の斜視図である。
【００１６】
【図５】図５は、靴紐が非固定位置にある図１に図示する靴の内側の斜視図である。
【００１７】
【図６】図６は、靴紐が固定位置にある図１に図示する靴の外側（ｌａｔｅｒａｌ  ｓｉｄｅ）の斜視図である。
【００１８】
【図７】図７は、図１に図示する靴の後部立面図である。
【００１９】
【図８】図８は、スライダの調節を示している図１に図示する靴の後部立面図である。
【００２０】
【図９】図９は、図１の閉鎖システムにおいて使用されているボタンの分解斜視図である。
【００２１】
【図１０】図１０は、組み立て前の図１の閉鎖システムにおいて使用されるボタンの側面図である。
【００２２】
【図１１】図１１は、ボタンが組み立てられた後の図１の閉鎖システムにおいて使用されるボタンの側面図である。
【００２３】
【図１２Ａ】図１２Ａは、図１の閉鎖システムにおいて利用されるスライダの立面図である。
【００２４】
【図１２Ｂ】図１２Ｂは、図１３の閉鎖システムにおいて利用されるスライダの立面図である。
【００２５】
【図１３】図１３は、靴紐が固定位置にある本発明の閉鎖システムの別実施例を利用している靴の上面図である。
【００２６】
【図１３Ａ】図１３Ａは、図１３に図示する閉鎖システムの別実施例を利用している靴の上面図である。
【００２７】
【図１４】図１４は、靴紐を利用している図１３で図示する閉鎖システムを利用する靴の上面図である。
【００２８】
【図１５】図１５は、図１４の位置から調節されたスライダを備えた図１３に図示する閉鎖システムを利用する靴の上面図である。
【００２９】
【図１６】図１６は、図２３に図示する閉鎖システムを利用している靴の内側の斜視図である。
【００３０】
【図１７】図１７は、非固定位置にある靴紐を備えた図２３に図示する閉鎖システムを利用している靴の内側の斜視図である。
【００３１】
【図１８】図１８は、図２３に図示する靴の外側の斜視図である。
【００３２】
【図１９】図１９は、図２３に図示する閉鎖システムを利用している靴の後部立面図である。
【００３３】
【図２０】図２０は、図２３に図示する閉鎖システムを利用している靴の別後部立面図である。
【００３４】
【図２１】図２１は、押し込みされていない靴紐を備えた本発明の閉鎖システムの別実施例を利用している靴の上面図である。
【００３５】
【図２２】図２２は、押し込み位置にある靴紐を備えた図２１に図示する閉鎖システムを利用している靴の上面図である。
【００３６】
【図２３】図２３は、靴紐係留具が緩んでいる状態の図２１に図示する閉鎖システムを利用している靴の上面図である。
【００３７】
【図２４】図２４は、ラジアル（放射）舌片部の外／開き側の靴紐キーパ（靴紐保持部）を見せるために、靴紐係留具が緩められ、外側紐穴列が捲り上げられている、図２１に図示されている閉鎖システムを利用している靴の上面図である。
【００３８】
【図２５】図２５は、図２１の閉鎖システムを利用している靴の内側の斜視図である。
【００３９】
【図２６】図２６は、靴紐が非締め付け状態にある図２１に図示する閉鎖システムを利用している靴の内側の斜視図である。
【００４０】
【図２７】図２７は、靴紐の端部が靴内で押し込まれておらず、靴紐が締め付け位置に存在している図２１に図示する靴の上方斜視図である。
【００４１】
【図２８】図２８は、靴紐の端部が押し込み位置にあって、図２７に図示する閉鎖システムを利用している靴の上方斜視図である。
【００４２】
【図２９】図２９は、図２７に図示する閉鎖システムを利用している靴の上方斜視図であり、微調節をするために使用される機構を示している。
【発明を実施するための形態】
【００４３】
図１から図８には、閉鎖システムが１本の靴紐１２を含んでいる靴１０のための本発明の閉鎖システムの１実施例が図示されている。靴紐１２は単一のストランド（撚り線）である。靴紐１２の一端部１２ａは靴１０の内側の位置４０でフラップ１８の下にて靴に固定されている。靴紐１２は位置４０でアッパ１８に縫合することもアッパに接着することもできる。
【００４４】
図１Ａに図示されている別実施例では、靴紐１２はクリンプ部（捲縮部）４２で靴紐１２自体にクリンプされることで靴１０に固定される。
【００４５】
靴紐１２は、位置４０から、ユーザの足が挿入される靴の開口部側に戻るように紐穴１６を交互に通されている。靴紐引部２４は、靴紐が最後から２番目の紐穴１７を通って通過した後に、靴紐１２の一位置で靴紐１２に固定されている。靴紐引部２４は靴紐１２に固定されており、ボタン１４上での靴紐１２の引っ張りを容易にする。
【００４６】
靴紐１２の第二端１２ｂ（図６から図８にて最良に図示）は、縫合または接着などの公知の固定手段によってスライダ４２に固定されている。この実施例で利用されているスライダの断面は図１２Ａに図示されている。コード４４は、ユーザが足を挿入する靴の開口部の両側に沿って、靴の後部の周りに固定されている。このコード４４は靴１０のそれぞれの側部（内側及び外側）の位置４６で靴の内部に縫合または接着することができる。スライダ４２はコード４４に取り付けられており、コード４４上で靴の後部の周囲をスライドするようになっている。靴紐１２とコード４４の両方は、靴１０の内側のアッパ２８の下から、靴１０の内側に沿って開口４８を通過する。靴紐１２とコード４４の両方は靴の後部の周囲の開口４８から延び出る。続いてコード４４は、コード４４がアッパ２８の下で靴１０の内部に接着剤、縫合または他の適した固定方法によって固定される靴の外側で開口５０を通って挿入される。
【００４７】
靴１０の靴紐１２の締め付け具合を調節するため、スライダ４２はコード４４に沿ってスライドされ、それによりコード４４と共に靴紐１２を引っ張る。スライダ４２が内側から外側に靴の周囲で引っ張られると靴紐１２は締まり、スライダ４２が（図８と比べて）図７に図示するような靴の外側から内側に移動するとき、靴紐１２にさらに緩みが与えられるので靴紐１２は緩む。スライダ４２はコード４４に圧入されており、スライダ４２が靴紐１２に沿って動かされた後、スライダ４２はその場に留まる。スライダ４２の移動方向は図８において矢印５２によって示されている。
【００４８】
図７と図８に明瞭に図示するように、踵タブ５４は、靴紐１２とコード４４が踵タブ５４をスライドして着用者の踵／アキレス腱に不快感を与えないよう、靴紐１２とコード４４の軌道を提供する成形された隆起部５６を含んでいる。
【００４９】
ボタン１４は靴１０の美的外観を変更すべく取り外し可能に設計されている。図９から図１１に図示するように、リベット２６は、靴１０の外側のアッパ２８を通って挿入され、リベット２６の基部はアッパ２８の下に配置される。基部ボタン３０はリベット２６に嵌合され、基部ボタン３０の上面はアッパ２８の外面の上に位置し、基部ボタン３０のバレルはアッパ２８を通過する。基部ボタン３０は、ボタン１４の上部ボタン３４の非中空（雄型）ネジ柱３２を受領する中空ネジ柱（雌型）３１を含んでいる。靴１０の美的外観を変えるように上部ボタン３４が別のデザインを有することは想定内である。例えば、上部ボタン３４は異なる色彩、形、トポグラフィ（表面形状）、柄または材料で提供でき、カフリンクスのように交換可能である。上部ボタン３４の交換性は、所有者特定、自己表現、または衣装の補足のためのユニークなオプションを確実に提供する。図９と図１１に図示するボタン９は、異なるトポグラフィを備えたボタン１４の別例である。ボタンは、動作／歩数記録、ＧＰＳ、Ｂｌｕｅｔｏｏｔｈ（登録商標）などの機能を提供するウェアラブルデバイスまたは他の電子デバイスを含むこともできる。
【００５０】
図１３から図２０に図示する別実施例の靴１０の構造は、図１から図８の実施形態ではコード４４を含むが、図１３から図２０の実施形態ではそれに代わってパイピング５８が靴１０の後部の周囲に配置されている点を除いて、図１から図８に示す実施例とほぼ同一である。図１３から図２０の実施例では、スライダ４２が、図１から図８の実施例で示すようにコード４４に沿って走行する代わりにパイピング５８に沿ってスライドする。
【００５１】
図１３から図２０の実施例において、パイピング５８は靴１０の各側部で靴１０の開口６０、６２を通ってアッパ２８の下に固定される。図１３Ａに図示するように、靴紐は図１Ａに示すのと同一の方法で靴紐自体に対してクリンプできる。この実施例で、図１から図８の（及び図１２Ａで示される）実施例で使用されるものとは少々異なる断面を有したスライダ４２が、図１２Ｂに示すようにパイピング５８の周囲に挿入されるようにして使用できる。
【００５２】
図２１から図２９を参照すると、靴１０は１本の靴紐１２を利用する閉鎖システムの別実施例と共に示されている。靴紐１２も単一のストランドとして靴１０に挿入される。靴紐１２の一端部は摩擦スライド体として作用するバレル２２内で接着される。靴紐１２のそのような固定された端部もバレル２２内で圧縮することができる。その後、靴紐１２は、靴１０の内側のフラップ１８の、着用者の足が靴内に挿入される場所に最も近い紐穴１６ａに通される。靴紐１２はバレル２２を通って戻され、バレル２２を通って戻された靴紐１２の一部はバレル２２にスライド可能にフィット（挿入）される。靴紐引部２４は靴紐１２がバレル２２を通過した後に靴紐１２の一部で靴紐１２に固定されている。靴紐１２をボタン１４の周囲で引っ張ることを可能にするために靴紐１２に幾らかの緩みを残しつつ、靴紐１２は、フラップ２０のトップから紐穴１６ｂを通過するまで、靴の両側の紐穴１６に交互に通される。その後、靴紐１２はフラップ２０の長さだけフラップ２０の下を通される。靴紐１２が調節されたら、靴紐１２の自由端１２ａはフラップ２０の下に押し込まれ、靴紐１２をフラップ２０の下に固定する靴紐キーパ１９と２１（図２４に図示）を通される。その結果、靴紐１２の自由端１２ａは摩擦によって適切に保持される位置に押し込まれ隠される。摩擦によって靴紐を固定する他の方法も靴を閉鎖状態に保持するであろう。例えば、靴紐の端部を紐穴１６ｂに２度通し、靴紐の余り部分を靴紐自体に結ぶか、またはカットすることができる。別の方法は、緩みが解消するまで、緩い端部１２ａを紐穴に戻し通すことができる。これらは好適な機構ではないが、必要な摩擦を提供するであろう。
【００５３】
靴紐引部２４は靴紐１２に固定され、靴紐１２をボタン１４上で容易に引っ張ることを可能にする。靴の着用者にとって、靴１０の締め付け具合の大まかな調節が、靴紐１２の端部１２ａを引っ張り、靴紐１２を仕舞い込むことで実行されると、ユーザは図２９で示すようにバレル２２をスライドさせることで靴１０のフィット感を微調節できる。図２９のバレル２２の隣の矢印２５の方向は、バレルが矢印２５の方向に動いたときの靴１０の締め付け方向を示す。もしバレルが反対方向に動けば、靴紐１２のテンションに緩みの微調節が提供される。
【００５４】
全ての実施例において靴紐１２は静的（非伸長性）または動的（伸長性）材料で製造できる。それが動的な材料で製造されると、それはボタン１４上で引っ張られるようにさらに容易に伸びることができる。靴紐１２は好適には約２ｍｍのコードである。靴紐１２に、引張による力や張力および摩耗に耐えるだけの強度があり、靴紐１２がフラップ２０の下に押し込まれたときに不快感を起こすほど厚くない限り、他のサイズであっても構わない。
【００５５】
上述の発明はその好適実施例に関して説明された。当該技術の技術者には様々な代案と変形が考えられるであろう。それら全ての代案と変形は本願の「特許請求の範囲」内に属することが意図されている。
【図１】
2018532554.tif 000003
【図１Ａ】
2018532554.tif 000004
【図２】
2018532554.tif 000005
【図３】
2018532554.tif 000006
【図４】
2018532554.tif 000007
【図５】
2018532554.tif 000008
【図６】
2018532554.tif 000009
【図７】
2018532554.tif 000010
【図８】
2018532554.tif 000011
【図９】
2018532554.tif 000012
【図１０】
2018532554.tif 000013
【図１１】
2018532554.tif 000014
【図１２Ａ】
2018532554.tif 000015
【図１２Ｂ】
2018532554.tif 000016
【図１３】
2018532554.tif 000017
【図１３Ａ】
2018532554.tif 000018
【図１４】
2018532554.tif 000019
【図１５】
2018532554.tif 000020
【図１６】
2018532554.tif 000021
【図１７】
2018532554.tif 000022
【図１８】
2018532554.tif 000023
【図１９】
2018532554.tif 000024
【図２０】
2018532554.tif 000025
【図２１】
2018532554.tif 000026
【図２２】
2018532554.tif 000027
【図２３】
2018532554.tif 000028
【図２４】
2018532554.tif 000029
【図２５】
2018532554.tif 000030
【図２６】
2018532554.tif 000031
【図２７】
2018532554.tif 000032
【図２８】
2018532554.tif 000033
【図２９】
2018532554.tif 000034
【国際調査報告】
2018532554.tif 000035
2018532554.tif 000036
2018532554.tif 000037